(57)【特許請求の範囲】
【請求項１】
受信信号を多段増幅して復調手段に送出する第１〜第ｎ（ｎ≧２）のメインアンプと、前記受信信号の強度を示すＲＳＳＩ信号を生成するＲＳＳＩ回路と、を有して成る通信機器において、
第１〜第ｎのメインアンプのうち、第１〜第ｍ（１≦ｍ＜ｎ）のメインアンプは、主信号増幅専用として、その出力信号を主信号系に送出するだけの構成とされているのに対して、第（ｍ＋１）〜第ｎのメインアンプは、主信号増幅／ＲＳＳＩ検出兼用として、その出力信号を主信号系だけでなく、前記ＲＳＳＩ回路にも送出する構成とされており、
前記ＲＳＳＩ回路は、前記メインアンプとは別に、その入力端が第１〜第ｍのメインアンプの入力端に接続され、その入力信号を増幅出力する第１〜第ｍのサブアンプを有して成り、第（ｍ＋１）〜第ｎのメインアンプと第１〜第ｍのサブアンプの両出力信号を用いて、前記ＲＳＳＩ信号を生成する構成とされていることを特徴とする通信機器。
【請求項２】
前記ＲＳＳＩ回路は、第１のカレントミラー比をもって第（ｍ＋１）〜第ｎのメインアンプの出力信号に応じた電流信号を生成する第１カレントミラー回路と、第１のカレントミラー比とは異なる第２のカレントミラー比をもって第１〜第ｍのサブアンプの出力信号に応じた電流信号を生成する第２カレントミラー回路と、を有し、第１、第２カレントミラー回路の両電流信号を合わせた合成電流信号を生成して、その合成電流信号を電圧変換することにより、前記ＲＳＳＩ信号を生成することを特徴とする請求項１に記載の通信機器。
【発明の詳細な説明】
【０００１】
【発明の属する技術分野】
本発明は、通信機器に関するものであり、特に、受信強度を検出するＲＳＳＩ［Received Signal Strength Indicator］回路を搭載した通信機器に関する。
【０００２】
【従来の技術】
モデム、携帯電話機、ネットワークＬＡＮ等に代表される通信機器には、一般的に、装置の通信状態を判断する手段として、受信信号の強度を検出するＲＳＳＩ回路が搭載されている。ＲＳＳＩ回路を搭載した通信機器では、通信状態をユーザに報知したり、通信状態が十分良好な場合に送信パワーを下げて、装置の消費電力を低減したりすることができる。
【０００３】
図５は従来の通信機器の要部（ＲＳＳＩ回路周辺）を示す概略構成図である。入力端子ＩＮから入力された受信信号は、ｎ段に直列接続されたアンプＡ１、Ａ２、Ａ３、…、Ａｎによって多段増幅された後、出力端子ＯＵＴａから主信号として出力される。一方、アンプＡ１、Ａ２、Ａ３、…、Ａｎの各出力信号は、電流電圧変換回路Ｉ／Ｖにも送出されており、該電流電圧変換回路Ｉ／Ｖによって受信信号の強度を示すＲＳＳＩ信号に変換される。なお、ＲＳＳＩ信号は、バッファアンプＢＵＦを介して出力端子ＯＵＴｂから出力される。
【０００４】
ここで、ＲＳＳＩ回路に要求される特性としては、次の２つが挙げられる。まず、第１には、受信信号の大小に関わらず正常動作すること、すなわち、広い入力ダイナミックレンジを有することが要求される。また、第２には、受信信号に対してＲＳＳＩ信号が直線的に変化すること、すなわち、高いリニアリティを有することが要求される。このような要求を満足するため、アンプＡ１、Ａ２、Ａ３、…、Ａｎは、図６に示す回路構成とされていた。
【０００５】
図６はアンプＡ１の一構成例を示す回路図であり、ここでは、アンプＡ１を差動型とした場合を例に挙げて説明を行う。なお、アンプＡ２、Ａ３、…、ＡｎはアンプＡ１と同一の構成から成るため、各アンプ毎の詳細な説明は省略する。
【０００６】
本図に示すように、アンプＡ１は、ｎｐｎ型トランジスタＱａ、Ｑｂを有して成る差動増幅部と、同じくｎｐｎ型トランジスタＱｃ、Ｑｄを有して成るコンパレータ部によって構成されている。
【０００７】
トランジスタＱａ、Ｑｂのベースは、それぞれアンプＡ１の差動入力端子に相当し、受信信号の入力時には両ベース間に電圧ＶINが印加される。トランジスタＱａ、Ｑｂのコレクタは、それぞれ抵抗Ｒａ、Ｒｂを介して、電源電圧ラインに接続されている。トランジスタＱａ、Ｑｂのエミッタは、それぞれ抵抗Ｒｃ、Ｒｄを介して、定電流源Ｉａの一端に接続されている。定電流源Ｉａの他端は、グランドラインに接続されている。
【０００８】
トランジスタＱａと抵抗Ｒａとの接続ノード、及びトランジスタＱｂと抵抗Ｒｂとの接続ノードは、それぞれアンプＡ１の差動出力端子に相当し、次段アンプＡ２の差動入力端子に接続されている。また、トランジスタＱａと抵抗Ｒａとの接続ノードは、トランジスタＱｃのベースにも接続されている。
【０００９】
トランジスタＱｃのコレクタは、電流電圧変換回路Ｉ／Ｖの入力端子に接続されている。トランジスタＱｄのコレクタは、電源電圧ラインに接続されている。トランジスタＱｄのベースには、バイアス電圧Ｅａが印加されている。トランジスタＱｃ、Ｑｄのエミッタは、共通接続されて定電流源Ｉｂの一端に接続されている。定電流源Ｉｂの他端は、グランドラインに接続されている。
【００１０】
このように、上記構成から成るアンプＡ１では、トランジスタＱａ、Ｑｂのエミッタに抵抗Ｒｃ、Ｒｄを接続することで、ＲＳＳＩ回路の入力ダイナミックレンジを広げていた。また、アンプＡ１、Ａ２、Ａ３、…、Ａｎを全て同一の回路構成とし、各段のゲインを一律とすることで、ＲＳＳＩ回路のリニアリティを確保していた。
【００１１】
【発明が解決しようとする課題】
確かに、上記構成から成る通信機器であれば、ＲＳＳＩ回路の入力ダイナミックレンジとリニアリティを共に向上させることができるので、受信信号の強度を高感度・高精度に検出することが可能であった。また、上記構成から成る通信機器は、主信号増幅用のアンプＡ１、Ａ２、Ａ３、…、Ａｎ全段をＲＳＳＩ用のアンプとして兼用する回路構成であるため、ＲＳＳＩ回路を搭載しても、回路規模や消費電力を不必要に増大することがなかった。
【００１２】
しかしながら、上記構成から成る通信機器は、主信号増幅用のアンプＡ１、Ａ２、Ａ３、…、Ａｎ全段をＲＳＳＩ用のアンプとして兼用した上で、各アンプに入力ダイナミックレンジを広げるためのエミッタ抵抗を挿入する構成であった。そのため、該エミッタ抵抗で発生する熱雑音によって、主信号系における雑音指数ＮＦ［Noise Figure］が劣化し、受信信号自体の検出感度や検出精度が損なわれるおそれがあった。
【００１３】
特に、次世代の無線通信システムとして注目されているBluetoothシステムでは、受信信号のピークトゥピーク値が３００μＶｐｐ〜１Ｖｐｐといった範囲で幅広く変化するため、これに見合った入力ダイナミックレンジを上記構成によって得ようとした場合には、主信号系における雑音指数ＮＦが極端に劣化してしまうおそれがあった。
【００１４】
なお、アンプＡ１、Ａ２、Ａ３、…、Ａｎの一部（例えば、前数段分）にのみエミッタ抵抗を挿入する構成であれば、ＲＳＳＩ回路の入力ダイナミックレンジを広げながら、主信号系における雑音指数ＮＦの劣化を最小限に抑えることができる。ただし、このような構成では、アンプＡ１、Ａ２、Ａ３、…、Ａｎ各段のゲインが異なってしまうため、ＲＳＳＩ回路のリニアリティが確保できず、受信信号の強度を高精度に検出することができなかった。
【００１５】
一方、特開平１１−２６１５００号公報には、主信号増幅用アンプとは別に、ＲＳＳＩ用アンプを有して成り、該ＲＳＳＩ用アンプの出力信号を用いて受信信号の強度を検出するＲＳＳＩ回路が開示されている。確かに、このようなＲＳＳＩ回路であれば、ＲＳＳＩ用アンプにのみエミッタ抵抗を挿入することで、主信号系における雑音指数ＮＦを劣化させることなく、ＲＳＳＩ回路の入力ダイナミックレンジとリニアリティを共に向上させることができる。
【００１６】
しかしながら、上記公報に開示されたＲＳＳＩ回路は、主信号増幅用アンプ全段にＲＳＳＩ用アンプを接続して成る構成であり、回路的に見れば、２系統のアンプが重複して設けられた無駄の多い構成であったため、回路規模や消費電力の増大が課題となっていた。また、両アンプが相互干渉によって発振するおそれもあり、このような発振を回避するためには、各アンプを形成するブロックをレイアウト的に離して配置するなどの対策を講じる必要があった。
【００１７】
本発明は、上記の問題点に鑑み、主信号系における雑音指数を劣化させることなく、ＲＳＳＩ回路の入力ダイナミックレンジとリニアリティを共に向上させることができ、かつ、回路規模や消費電力を不必要に増大することのない通信機器を提供することを目的とする。
【００１８】
【課題を解決するための手段】
上記目的を達成するために、本発明に係る通信機器は、受信信号を多段増幅して復調手段に送出する複数段のメインアンプを用いて前記受信信号の強度を検出するＲＳＳＩ回路を有して成り、該ＲＳＳＩ回路の出力信号に基づいて、その受信状態を判断する通信機器において、前記ＲＳＳＩ回路は、受信信号を多段増幅する複数段のメインアンプとは別に、受信信号及びメインアンプ各段の出力信号をそれぞれ増幅するサブアンプを少なくとも１つ有し、メインアンプとサブアンプの両出力信号を用いて、受信信号の強度を検出する構成としている。
【００１９】
また、上記構成から成る通信機器において、前記ＲＳＳＩ回路は、メインアンプの出力信号に応じた電流信号を生成する第１カレントミラー回路と、サブアンプの出力信号に応じた電流信号を生成する第２カレントミラー回路と、を有し、第１、第２カレントミラー回路の両電流信号を用いて、受信信号の強度を検出する構成にするとよい。
【００２０】
【発明の実施の形態】
図１は本発明に係る通信機器の一実施形態を示すブロック図である。本図に示すように、本実施形態の通信機器は、変調された高周波信号を送受信するアンテナ１と、アンテナ１の送受信信号を所定周波数帯域に制限するバンドパスフィルタ２（以下、ＢＰＦ２と呼ぶ）と、アンテナ１を送受信系各々で共有するためのアンテナ共用器３と、アンテナ共用器３に接続された受信回路部４及び送信回路部５と、両回路部４、５での周波数変換処理に必要なローカル信号を生成する局部発振器６と、を有して成る。
【００２１】
受信回路部４は、アンテナ共用器３の出力信号を増幅するローノイズアンプ４ａ（以下、ＬＮＡ４ａと呼ぶ）と、ＬＮＡ４ａの出力信号と局部発振器６のローカル信号を混合して中間周波数信号を生成するとともに、該中間周波数信号からイメージ信号を除去するイメージリジェクションミキサ４ｂ（以下、ＩＲＭ４ｂと呼ぶ）と、ＩＲＭ４ｂの出力信号を所定周波数帯域に制限するバンドパスフィルタ４ｃ（以下、ＢＰＦ４ｃと呼ぶ）と、ＢＰＦ４ｃの出力信号を増幅するリミッタアンプ４ｄ（以下、ＬＩＡ４ｄと呼ぶ）と、ＬＩＡ４ｄの出力信号に復調処理を施す復調器４ｅと、復調器４ｅの出力信号を波形整形して内部回路（図示せず）に送出するスライサ４ｆと、受信回路部４における受信強度を検出するＲＳＳＩ回路４ｇと、を有して成る。
【００２２】
一方、送信回路部５は、内部回路（図示せず）から入力されたＩ信号及びＱ信号に基づいて局部発振器６のローカル信号を直交変調するＩ／Ｑ直交変調器５ａと、Ｉ／Ｑ直交変調器５ａの出力信号を増幅してアンテナ共用器３に送出する可変利得パワーアンプ５ｂ（以下、ＰＡ５ｂと呼ぶ）と、を有して成る。
【００２３】
なお、本実施形態の通信機器は、上記した受信回路部４及び送信回路部５をいずれも差動形式とした構成である。このような構成とすることにより、送受信信号に重畳した内部ディジタルノイズ等を差動で打ち消すことができるので、送受信動作の精度向上を図ることが可能となる。
【００２４】
続いて、本発明に係る通信機器の特徴部分であるＲＳＳＩ回路４ｇの内部構成及び動作について詳細な説明を行う。
【００２５】
図２は本発明に係る通信機器の要部（ＲＳＳＩ回路４ｇ周辺）を示す回路図である。本実施形態の通信機器に搭載されたＲＳＳＩ回路４ｇは、ｎ段直列接続された主信号増幅用のメインアンプ１１、１２、１３、…、１ｎと、ＲＳＳＩ用のサブアンプ２１、２２と、電流電圧変換回路３０と、バッファアンプ４０と、を有して成り、メインアンプ１３、…、１ｎ（３段目以降）とサブアンプ２１、２２の両出力信号を用いて受信信号の強度を検出する構成である。なお、メインアンプ１１、１２、１３、…、１ｎについては、ＬＩＡ４ｄを構成する多段アンプを流用している。
【００２６】
差動入力端子ＩＮ１、ＩＮ２から入力された受信信号は、メインアンプ１１、１２、１３、…、１ｎによって多段増幅された後、差動出力端子ＯＵＴ１、ＯＵＴ２から主信号として出力される。なお、メインアンプ１１、１２、１３、…、１ｎのうち、３段目以降のメインアンプ１３、…、１ｎは、主信号増幅／ＲＳＳＩ兼用とされているため、それらの出力信号は、主信号系だけでなく電流電圧変換回路３０の第１入力端子にも送出される。一方、サブアンプ２１、２２には、受信信号とメインアンプ１１の出力信号がそれぞれ入力されており、サブアンプ２１、２２の出力信号は、電流電圧変換回路３０の第２入力端子に送出される。
【００２７】
メインアンプ１３、…、１ｎとサブアンプ２１、２２の両出力信号は、電流電圧変換回路３０によって受信信号の強度を示すＲＳＳＩ信号に変換される。該ＲＳＳＩ信号は、バッファアンプ４０を介して出力端子ＯＵＴ３から出力される。
【００２８】
続いて、サブアンプ２１、２２の回路構成について説明する。なお、サブアンプ２１、２２の回路構成は全く同一であるため、ここでは、サブアンプ２１の回路構成についてのみ詳細な説明を行う。本図に示すように、サブアンプ２１は、ｎｐｎ型トランジスタＱ１、Ｑ２を有して成る増幅部と、同じくｎｐｎ型トランジスタＱ３、Ｑ４を有して成るコンパレータ部によって構成されている。
【００２９】
トランジスタＱ１、Ｑ２のベースは、それぞれサブアンプ２１の差動入力端子に相当しており、受信信号（差動電圧ＶIN1、ＶIN2）が入力される差動入力端子ＩＮ１、ＩＮ２にそれぞれ接続されている。なお、受信信号の入力時には、トランジスタＱ１、Ｑ２の両ベース間に電圧ＶIN（＝ＶIN1−ＶIN2）が印加され、トランジスタＱ１、Ｑ２のコレクタには、電圧ＶINに応じた電流ｉｏ１、ｉｏ２が流れる。トランジスタＱ１、Ｑ２のコレクタは、それぞれ抵抗Ｒ１、Ｒ２を介して、電源電圧ラインに接続されている。トランジスタＱ１、Ｑ２のエミッタは、それぞれ抵抗Ｒ３、Ｒ４を介して、定電流ｉｏを流す定電流源Ｉ１の一端に接続されている。定電流源Ｉ１の他端は、グランドラインに接続されている。
【００３０】
トランジスタＱ１と抵抗Ｒ１との接続ノードは、トランジスタＱ３のベースに接続されている。トランジスタＱ３のコレクタは、サブアンプ２１の出力端子に相当し、電流電圧変換回路３０の第２入力端子に接続されている。トランジスタＱ４のコレクタは、電源電圧ラインに接続されている。トランジスタＱ４のベースには閾値電圧Ｅ１が印加されている。トランジスタＱ３、Ｑ４のエミッタは、共通接続されて定電流源Ｉ２の一端に接続されている。定電流源Ｉ２の他端は、グランドラインに接続されている。
【００３１】
上記構成から成るサブアンプ２１において、サブアンプ２１の出力信号となるトランジスタＱ３のコレクタ電流は、増幅部の出力電圧（トランジスタＱ３のベース電圧）が閾値電圧Ｅ１より高いときに流れる。従って、ＲＳＳＩ信号の検出感度は、増幅部のゲインとコンパレータ部の閾値電圧Ｅ１を調節することで任意に変更することが可能である。
【００３２】
また、トランジスタＱ１、Ｑ２のエミッタに接続された抵抗Ｒ３、Ｒ４は、ＲＳＳＩ回路４ｇの入力ダイナミックレンジを広げるために挿入されている。次では、これらのエミッタ抵抗Ｒ３、Ｒ４がＲＳＳＩ回路４ｇの入力ダイナミックレンジに及ぼす影響について、図３を参照しながら説明する。
【００３３】
図３は電圧ＶINと電流ｉｏ１、ｉｏ２との関係を示す図である。なお、本図の横軸は電圧ＶINを示し、縦軸は電流ｉｏ１、ｉｏ２を示している。また、ラインＬ１、Ｌ２は、エミッタ抵抗Ｒ３、Ｒ４を挿入した場合の電流ｉｏ１、ｉｏ２を示し、ラインＬ１’、Ｌ２’は、エミッタ抵抗Ｒ３、Ｒ４を挿入していない場合の電流ｉｏ１、ｉｏ２を示している。
【００３４】
本図から明らかなように、サブアンプ２１にエミッタ抵抗Ｒ３、Ｒ４を挿入することで、ＲＳＳＩ回路４ｇの入力ダイナミックレンジを広げることができる。なお、本実施形態の通信機器では、主信号増幅用のメインアンプ１１、１２、１３、…、１ｎとは別に、ＲＳＳＩ用のサブアンプ２１、２２を設けているので、ＲＳＳＩ回路４ｇの入力ダイナミックレンジを拡大するに際し、メインアンプ１１、１２、１３、…、１ｎを構成する差動増幅部（不図示）にエミッタ抵抗を挿入する必要がない。従って、主信号系における雑音指数ＮＦが劣化し、受信信号自体の検出感度や検出精度が損なわれる心配はない。
【００３５】
再び図２に戻り、電流電圧変換回路３０の回路構成について説明する。本図に示すように、電流電圧変換回路３０は、メインアンプ１３、…、１ｎの合成出力信号ｉ１に応じた電流信号ｉ１’を生成する第１カレントミラー回路３１と、サブアンプ２１、２２の合成出力信号ｉ２に応じた電流信号ｉ２’を生成する第２カレントミラー回路３２を有して成り、両電流信号ｉ１’、ｉ２’の合成信号ｉを用いて、受信信号の強度を示すＲＳＳＩ信号を生成する回路である。
【００３６】
第１カレントミラー回路３１は、ｐｎｐ型トランジスタＱ５、Ｑ６と、抵抗Ｒ５、Ｒ６を有して成る。トランジスタＱ５のコレクタは、電流電圧変換回路３０の第１入力端子に相当し、メインアンプ１３、…、１ｎの各出力端子に接続されている。トランジスタＱ５、Ｑ６のベースは、互いに接続されるとともに、トランジスタＱ５のコレクタにも接続されている。トランジスタＱ５、Ｑ６のエミッタは、それぞれ抵抗Ｒ５、Ｒ６を介して、電源電圧ラインに接続されている。なお、トランジスタＱ６のコレクタには、トランジスタＱ５のコレクタ電流ｉ１に比例したコレクタ電流ｉ１’＝α・ｉ１（α；カレントミラー比）が流れる。
【００３７】
第２カレントミラー回路３２は、ｐｎｐ型トランジスタＱ７、Ｑ８と、抵抗Ｒ７、Ｒ８を有して成る。トランジスタＱ７のコレクタは、電流電圧変換回路３０の第２入力端子に相当し、サブアンプ２１、２２の出力端子に接続されている。トランジスタＱ７、Ｑ８のベースは、互いに接続されるとともに、トランジスタＱ７のコレクタにも接続されている。トランジスタＱ７、Ｑ８のエミッタは、それぞれ抵抗Ｒ７、Ｒ８を介して、電源電圧ラインに接続されている。なお、トランジスタＱ８のコレクタには、トランジスタＱ７のコレクタ電流ｉ２に比例したコレクタ電流ｉ２’＝β・ｉ２（β；カレントミラー比、β≠α）が流れる。
【００３８】
トランジスタＱ６、Ｑ８のコレクタは、いずれも抵抗Ｒ９及びコンデンサＣ１を介して、グランドラインに接続されている。従って、抵抗Ｒ９には、トランジスタＱ６、Ｑ８に流れるコレクタ電流ｉ１’、ｉ２’を合わせた合成電流信号ｉが流れる。また、トランジスタＱ６、Ｑ８と抵抗Ｒ９との接続ノードは、バッファアンプ４０を介して、出力端子ＯＵＴ３に接続されている。従って、出力端子ＯＵＴ３には、合成電流信号ｉを電圧変換したＲＳＳＩ信号が出力される。
【００３９】
上記したように、本実施形態の通信機器では、電流電圧変換回路３０を、互いに異なるカレントミラー比α、βを持つ第１、第２カレントミラー回路３１、３２によって構成しているが、これは、メインアンプ１３、…、１ｎとサブアンプ２１、２２の各ゲインが異なることに起因して、ＲＳＳＩ信号のリニアリティが損なわれるのを回避するためである。次では、電流電圧変換回路３０におけるＲＳＳＩ信号のリニアリティ確保について、図４を参照しながら説明する。
【００４０】
図４は電圧｜ＶIN｜と電流ｉ１’、ｉ２’、ｉとの関係を示す図であり、横軸は電圧｜ＶIN｜＝｜ＶIN1−ＶIN2｜を示し、縦軸は電流ｉ１’、ｉ２’、ｉを示している。また、ラインＬ３、Ｌ４、Ｌ５は、それぞれ電流ｉ１’、ｉ２’、ｉの挙動を示している。
【００４１】
前述した通り、本実施形態の通信機器は、サブアンプ２１、２２にのみエミッタ抵抗を挿入した構成であり、メインアンプ１３、…、１ｎとサブアンプ２１、２２のゲインが互いに異なるため、両アンプから出力される電流ｉ１、ｉ２は、受信信号の強度に対して、それぞれ異なる傾きで上昇する。従って、このような電流ｉ１、ｉ２をそのまま合成すると、合成電流ｉは図中の破線で示す結果となり、ＲＳＳＩ信号のリニアリティを確保することができなくなる。
【００４２】
そこで、本実施形態の電流電圧変換回路３０では、第１、第２カレントミラー回路３１、３２のカレントミラー比α、βを適宜調節することで、電流ｉ１’、ｉ２’の傾きを一致させ、合成電流ｉのリニアリティを確保している。なお、電流ｉ１’が飽和するタイミングと、電流ｉ２’が立ち上がるタイミングは、サブアンプ２１、２２のゲインと閾値電圧を適宜調節することで合わせ込めばよい。このような構成とすることにより、メインアンプ１３、…、１ｎとサブアンプ２１、２２のゲインが互いに異なっていたとしても、ＲＳＳＩ信号のリニアリティを確保することができる。
【００４３】
なお、上記の実施形態では、ＲＳＳＩ用として２段のサブアンプ２１、２２を設けた回路構成を例に挙げて説明を行ったが、サブアンプの段数はこれに限定されるものではない。
【００４４】
例えば、ＲＳＳＩ回路に要求されるリニアリティのスペックが、アンテナ入力で−７０〜−４０ｄＢｍである場合、サブアンプ１段では、アンテナ入力で−７０〜−５０ｄＢｍまでしかリニアリティを確保できないため、要求されるスペックを満足できないが、サブアンプ２段では、アンテナ入力で−７０〜−４０ｄＢｍまでリニアリティを確保でき、要求されるスペックを満足することができる。一方、サブアンプ３段では、リニアリティの確保に関してオーバースペックとなるばかりでなく、消費電流がさらに３０μＡアップし、チップ面積も大きくなってしまうため、該通信機器には不適である。
【００４５】
このように、サブアンプの段数は、通信機器に要求されるスペック（ＲＳＳＩ回路の入力ダイナミックレンジやリニアリティ、並びに回路規模や消費電力）を鑑みて、最適な設定を行えばよい。
【００４６】
【発明の効果】
上記で説明した通り、本発明に係る通信機器は、受信信号を多段増幅して復調手段に送出する複数段のメインアンプを用いて前記受信信号の強度を検出するＲＳＳＩ回路を有して成り、該ＲＳＳＩ回路の出力信号に基づいて、その受信状態を判断する通信機器において、前記ＲＳＳＩ回路は、受信信号を多段増幅する複数段のメインアンプとは別に、受信信号及びメインアンプ各段の出力信号をそれぞれ増幅するサブアンプを少なくとも１つ有し、メインアンプとサブアンプの両出力信号を用いて、受信信号の強度を検出する構成としている。
【００４７】
このような構成であれば、受信信号の強度を検出するＲＳＳＩ回路の入力ダイナミックレンジを拡大するに際し、メインアンプを構成する差動増幅部にエミッタ抵抗を挿入する必要がない。従って、主信号系における雑音指数が劣化し、受信信号自体の検出感度や検出精度を損なうといった心配がなくなる。また、サブアンプの段数を要求スペックに応じて最適に設定し、主信号増幅用のメインアンプをできる限りＲＳＳＩ用として兼用する構成であるため、ＲＳＳＩ回路の入力ダイナミックレンジやリニアリティに要求されるスペックを満たしながら、回路規模や消費電力の増大を最小限に抑えることが可能である。
【００４８】
また、上記構成から成る通信機器において、前記ＲＳＳＩ回路は、メインアンプの出力信号に応じた電流信号を生成する第１カレントミラー回路と、サブアンプの出力信号に応じた電流信号を生成する第２カレントミラー回路と、を有し、第１、第２カレントミラー回路の両電流信号を用いて、受信信号の強度を検出する構成にするとよい。
【００４９】
このような構成とすることにより、メインアンプとサブアンプのゲインが互いに異なっていたとしても、第１、第２カレントミラー回路のカレントミラー比を適宜調節することで、ＲＳＳＩ信号のリニアリティを確保することができる。
【図面の簡単な説明】
【図１】  本発明に係る通信機器の一実施形態を示すブロック図である。
【図２】  本発明に係る通信機器の要部を示す回路図である。
【図３】  電圧ＶINと電流ｉｏ１、ｉｏ２との関係を示す図である。
【図４】  電圧｜ＶIN｜と電流ｉ１’、ｉ２’、ｉとの関係を示す図である。
【図５】  従来の通信機器の要部を示す概略構成図である。
【図６】  アンプＡ１の一構成例を示す回路図である。
【符号の説明】
１    アンテナ
２    バンドパスフィルタ（ＢＰＦ）
３    アンテナ共用器
４    受信回路部
４ａ    ローノイズアンプ（ＬＮＡ）
４ｂ    イメージリジェクションミキサ（ＩＲＭ）
４ｃ    バンドパスフィルタ（ＢＰＦ）
４ｄ    リミッタアンプ（ＬＩＡ）
４ｅ    復調器
４ｆ    スライサ
４ｇ    ＲＳＳＩ回路
５    送信回路部
５ａ    Ｉ／Ｑ直交変調器
５ｂ    可変利得パワーアンプ（ＰＡ）
６    局部発振器
１１、１２    メインアンプ（主信号増幅用）
１３、…、１ｎ  メインアンプ（主信号増幅／ＲＳＳＩ兼用）
２１、２２    サブアンプ（ＲＳＳＩ用）
３０    電流電圧変換回路
３１    第１カレントミラー回路
３２    第２カレントミラー回路
４０    バッファアンプ
ＩＮ１、ＩＮ２    入力端子（主信号）
ＯＵＴ１、ＯＵＴ２    出力端子（主信号）
ＯＵＴ３    出力端子（ＲＳＳＩ信号）
Ｒ１、Ｒ２、Ｒ３、Ｒ４、Ｒ５、Ｒ６、Ｒ７、Ｒ８、Ｒ９    抵抗
Ｃ１    コンデンサ
Ｑ１、Ｑ２、Ｑ３、Ｑ４    ｎｐｎ型トランジスタ
Ｑ５、Ｑ６、Ｑ７、Ｑ８    ｐｎｐ型トランジスタ
Ｉ１、Ｉ２    定電流源
Ｅ１    閾値電圧
【図１】
0003737051.tif 000002
【図２】
0003737051.tif 000003
【図３】
0003737051.tif 000004
【図４】
0003737051.tif 000005
【図５】
0003737051.tif 000006
【図６】
0003737051.tif 000007